(57)【要約】      （修正有）【課題】安全性の高いフルオロカーボンの移充填用回収装置を提供する。【解決手段】フルオロカーボンを回収した着脱容器と、回収したフルオロカーボンを移充填する為の移充填用着脱容器とを、耐圧ホースにて接続し、両容器内の圧力差を用いて、回収した着脱容器内のフルオロカーボンを移充填用着脱容器へ移充填する。【選択図】図１
0003143795.tif 000002
【実用新案登録請求の範囲】
【請求項１】
フルオロカーボンを回収した着脱容器と、回収したフルオロカーボンを移充填する為の別途の着脱容器とを、耐圧ホースにて接続し、両容器内の圧力差を用いて、回収した着脱容器内のフルオロカーボンを移充填用着脱容器へ移充填する為に使用するフルオロカーボン移充填回収装置。
【請求項２】
両容器間の圧力差を用いる手段が、着脱容器と、別途の着脱容器との温度差により、圧力差を生じさせるものである請求項１に記載のフルオロカーボン移充填回収装置。
【請求項３】
温水用容器内に載置した着脱容器と、冷水用容器内に載置した移充填用着脱容器とを、耐圧ホースで連結した請求項１又は２に記載のフルオロカーボン移充填回収装置。
【請求項４】
夫々の着脱容器に、それぞれ圧力計及び温度計を付設し、且つ温水用容器内に温度コントローラーを、移充填用着脱容器に充填量を自動的に知らせる警報装置を付設した請求項３に記載のフルオロカーボン移充填回収装置。
【請求項５】
装置全体を移動可能となした請求項３又は４に記載のフルオロカーボン移充填回収装置。
【考案の詳細な説明】
【技術分野】
【０００１】
本考案はフルオロカーボン移充填回収装置に関し、更に詳しくは高圧ガスを充填する為の容器（以下着脱容器という）に残留するフルオロカーボンを、別途移充填用着脱容器に移充填する為の装置に関する。
【背景技術】
【０００２】
従来フルオロカーボンを用いた各種装置、代表的には各種冷凍空調装置等より、不用と成ったフルオロカーボンを回収機を用いて、着脱容器と称されるフルオロカーボン回収用容器に回収される。そして、このフルオロカーボンを冷凍空調装置等から回収した着脱容器は、次いでこの容器内に回収されたフルオロカーボンを他の別の着脱容器に移充填され、空になった着脱容器は再度、冷凍空調設備等からフルオロカーボンを回収する為に使用される。
【０００３】
このフルオロカーボンの回収に際しては厳しい安全基準が要求され、省令7条（高圧ガス法）で各都道府県が認めた者に限って認可を賦与するものであり、大阪府に於いては、容易にはこの認可を取得する事は難しいのが現状である。従って現在、上記省令に合格しうる安全なフルオロカーボン回収装置が強く求められているのである。
【考案の開示】
【考案が解決しようとする課題】
【０００４】
本考案が解決しようとする課題は、上記省令に合格しうるフルオロカーボン回収装置を開発する事であり、更に詳しくはフルオロカーボンを回収した着脱容器から、別途移充填用着脱容器に、該回収したフルオロカーボンを、上記省令に充分に合格出来る安全性を確保して、移充填出来、しかも回収業者の回収現地でも実際に安全に使用出来る装置を開発する事である。
【課題を解決するための手段】
【０００５】
この課題は、下記の装置を使用する事により解決する事が出来る。
【０００６】
即ち、フルオロカーボンを回収した着脱容器と、該回収したフルオロカーボンを移充填する為の別の着脱容器とを、耐圧ホースにて接続し、両容器内の圧力差を用いて、回収した着脱容器内のフルオロカーボンを移充填用の着脱容器へ移充填する事によって解決される。更に換言すれば、温水用容器内に載置した着脱容器と、冷水用容器内に載置した移充填用着脱容器とを、耐圧ホースで連結したフルオロカーボン移充填用回収装置を用いる事である。
【考案の効果】
【０００７】
本考案に依れば、上記省令７条に規定する安全基準に合格し、且つ極めて安全にフルオロカーボンを移充填出来る。しかも本装置に依れば、フルオロカーボンを着脱容器に回収した現地で容易に移充填用着脱容器に移充填出来る。
【考案を実施するための最良の形態】
【０００８】
以下に図面を参照しつつ詳しく説明する。
【０００９】
図１は本考案の一例の説明図であり、（１）は冷凍空調装置等から回収機を用いてフルオロカーボンを回収した着脱容器であり、（２）はこの着脱容器からフルオロカーボンを移充填する為の別の着脱容器である。そして、これ等（１）及び（２）の容器は耐圧ホース（３）で連結されている。着脱容器（１）は温水用容器（４）内に載置され、該容器（４）には移充填に際しては、温水通常４０℃以下好ましくは３０〜３５℃の温水（５）が導入され、着脱容器（１）をこの温水（５）により一定の温度に調節する。
【００１０】
一方移充填用着脱容器（２）は冷水用容器（６）内に載置され、移充填に際しては冷水（７）通常０〜１０℃程度の冷水が導入され、移充填用容器を所定の温度に調節する。
【００１１】
本考案に於いては、温水用容器（４）及び冷水用容器（６）には、温水や冷水の温度を計る為の温度計（８）が付設される事が好ましい。そして、容器（４）には温度調節装置（９）により、温度を自動的に所定の温度を保持する様にする事が好ましい。尚、この温度調節装置（９）については、自動的に温度を調節出来るものであれば、広く各種の形態のものが使用出来、例えば図２に示す様な形式のものを例示出来る。図２に於いて（１０）は温度スイッチ、（１１）はマグネットスイッチ、（１２）はヒーターを示す。
【００１２】
又、移充填用着脱容器（２）の温度調節に際しては、冷水用容器（６）では、冷水機（図示せず）を用いて冷水（７）を該容器（６）内に導入しても良く、又氷を該容器（６）に投入しても良い。
【００１３】
上記両着脱容器（１）及び（２）には、容器の内部の圧力を計測する為に圧力計（１３）を設けるのが通常であり、やはり耐圧ホース（３）で連結されている。
【００１４】
本考案に於いては、移充填用着脱容器（２）には、この容器内に移充填される回収フルオロカーボンの充填量を示す為の警報装置を用いる事が好ましく、その代表例として例えば図３に示すフロートセンサー付き警報装置を例示する事が出来る。このものは、容器（２）内の内容積の所定％の液面を検知するフロートマグネット部が浮き、センサーシャフト内の通電を切って、そこから信号が取れる構造と成っているものを例示出来る。尚、図３に於いて（１４）はブザー、（１５）はフロートスイッチを示す。
【００１５】
本考案の装置は既に述べた通り、上記省令に合格しており、夫々本装置に使用する各装置も、規格に合格したものを使用する事が望ましい。
【００１６】
本考案に於いて使用される着脱容器（１）及び移充填用着脱容器（２）はいづれも、これ等容器自体は、従来から使用されて来た容器が使用され、着脱容器（１）としては、いづれも現在各種冷凍空調装置等からフルオロカーボンを回収する為に従来から使用されて来ているものが広く使用出来る。
【００１７】
又本考案に於いては、移充填用容器としては、例えば神鋼ＪＦＥ機器（株）社製のフロートセンサー付きの容器を好ましいものとして例示する事が出来る。
【００１８】
本考案に於いて使用される耐圧ホース（３）としては、安全規制に合格するものであれば良いが、好ましいものとして大阪ラセン管工業（株）社製の部品番号ＣＤ８０２４３，ＣＤ８０２４４，ＣＤ８０２４５等の部品番号のものを例示する事が出来る。又圧力計（１３）と接続する為に使用される耐圧ホースとしても、上記と同様なものを使用する事が好ましい。
【００１９】
本考案の装置を使用して移充填するに際しては、冷凍空調設備等から、回収機を用いてフルオロカーボンを回収した着脱容器（１）から、好ましくは現地で、移充填用着脱容器（２）に着脱容器（１）からフルオロカーボンを移充填する。尚、着脱容器（１）は再度使用される。
【００２０】
本考案の装置を用いて、移充填する方法は、着脱容器（１）を温水用容器に入れ、一方移充填用着脱容器を冷水用容器に入れ、耐圧ホース（３）にて両容器（１）及び（２）を接続し、温水用容器はヒーターにて水を加熱、サーモスイッチを取り付け、水温４０℃以下に温度管理し、冷水用容器は水道水や氷を用いて１０℃前後に管理する。
【００２１】
着脱容器（１）及び（２）には圧力計（１３）を取り付け圧力管理を行う。又移充填用容器（２）にはフロートスイッチ（内容量８５％作動）によって容器が満タンにならない様、ブザーにより管理する。
【００２２】
そして両容器内圧力差にてフルオロカーボンの移充填を行う。
【００２３】
移充填する高圧ガスの種類としてフルオロカーボン２２・４０７Ｃ・４１０Ａを例示する事が出来る。
【００２４】
フルオロカーボン２２の場合１０〜３５℃の圧力差が０．７Ｍｐａ、また
フルオロカーボン４０７Ｃの場合１０〜３５℃の圧力差が０．７Ｍｐａであり、
フルオロカーボン４１０Ａの場合１０〜３５℃の圧力差が１Ｍｐａである。
【００２５】
各フルオロカーボンの種類により飽和温度が違っても、圧力差で移充填は可能である。各フルオロカーボンの温度と圧力関係を示せば、表１の通りである。
【００２６】
【表１】
0003143795.tif 000003
【図面の簡単な説明】
【００２７】
【図１】図１は、本考案の装置の概略説明図である。
【図２】図２は、本考案で使用する温度調節装置の一例を示す説明図である。
【図３】図３は、本考案で使用するフロートセンサー警報装置の一例を示す説明図である。
【符号の説明】
【００２８】
１：    着脱容器
２：    移充填用着脱容器
３：    耐圧ホース
４：    温水用容器
５：    温水
６：    容器
７：    冷水
８：    温度計
９：    温度調節装置
１０：  温度スイッチ
１１：  マグネットスイッチ
１２：  ヒーター
１３：  圧力計
１４：  ブザー
１５：  フロートスイッチ
【図１】
0003143795.tif 000004
【図２】
0003143795.tif 000005
【図３】
0003143795.tif 000006